(57)【要約】【課題】アコースティックドラムのヘッドを打撃した際の感触に近似した打撃感を得ることができるドラムヘッドを提供すること。【解決手段】中層ヘッド３３の外径は外層ヘッド３２の平坦部３２ａの外径及びシェルの軸方向一端側の端部２ａの内径よりも小さく設定されているので、中層ヘッド３３を一対の外層ヘッド３２の平坦部３２ａと筒状部３２ｂとの連設部分およびシェル２の軸方向一側の端部２ａよりも内側に配設することができる。よって、一対の外層ヘッド３２に対して張力を付与する際に、中層ヘッド３３に対して張力が付与されることを防止できる。これにより、外層ヘッド３２及び中層ヘッド３３の双方に張力が付与される場合と比べて、平坦部３２ａを打撃した際の手ごたえを強く感じることができる。【選択図】図１
2014048651.tif 000002
【特許請求の範囲】
【請求項１】
筒状に形成されたシェルに展張されることで打撃面を形成するドラムヘッドにおいて、
円環状の枠部と、その枠部に外縁が固定されると共に通気性を有する素材から構成される一対の外層ヘッドと、それら一対の外層ヘッドの間に介設されると共に前記枠部の内周面よりも内側に位置し前記枠部の軸方向視における外形形状が前記外層ヘッドを展張する前記シェルの内周円よりも小さく形成される中層ヘッドと、を備えていることを特徴とするドラムヘッド。
【請求項２】
前記一対の外層ヘッドは、打撃面を形成する平坦面状の平坦部と、その平坦部の外縁に一端が連結されると共に他端が前記枠部に固定される筒状の筒状部と、を備え、
前記中層ヘッドは、前記平坦部と前記筒状部との連結部分よりも内側に配置されていることを特徴とする請求項１記載のドラムヘッド。
【請求項３】
前記中層ヘッドは、通気性を有する素材で構成されていることを特徴とする請求項１又は２に記載のドラムヘッド。
【請求項４】
前記中層ヘッドは、前記枠部の軸方向視において、前記枠部と同心の仮想円であって外径を前記枠部の内径の１／２とする仮想円に囲まれる領域全体に少なくとも配置されていることを特徴とする請求項１から３のいずれかに記載のドラムヘッド。
【請求項５】
前記中層ヘッドは、前記一対の外層ヘッドの少なくとも一方に対して部分的に接合されると共に、前記中層ヘッドが前記外層ヘッドに対して接合される部分の前記中層ヘッド全体に対する割合が１０％以下に設定されていることを特徴とする請求項１から４のいずれかに記載のドラムヘッド。
【請求項６】
一対の外層ヘッドは、前記枠部の軸方向視において、前記中層ヘッドの外縁よりも外側であって前記外層ヘッドを展張する前記シェルの内周面よりも内側に位置する部分において、互いに接合されていることを特徴とする請求項１から４のいずれかに記載のドラムヘッド。
【請求項７】
前記一対の外層ヘッド及び前記中層ヘッドが同一の素材で構成されていることを特徴とする請求項１から６のいずれかに記載のドラムヘッド。
【発明の詳細な説明】
【技術分野】
【０００１】
本発明は、ドラムヘッドに関し、特に、打撃音を低減させつつ、アコースティックドラムのヘッドを打撃した際の感触に近似した打撃感を得ることができるドラムヘッドに関するものである。
【背景技術】
【０００２】
アコースティックドラムを模した電子ドラムまたは練習用ドラムの打面を形成するドラムヘッドとして、アコースティックドラムに用いられるフィルム製のヘッドよりも打撃した際の打撃音を低減させることができるドラムヘッドが知られている。
【０００３】
例えば、特開平１０−２０８５４号公報には網を複数枚重ね合わせて形成された網状素材により構成されたドラムヘッドが開示されている。
【０００４】
また、特開２００９−２２９５１４号公報には打面部の少なくとも一部が独立気泡（外気に連通していない空洞）を有するゴム性の発泡体から構成されたドラムヘッドが開示されている。
【先行技術文献】
【特許文献】
【０００５】
【特許文献１】特開平１０−２０８５４号公報(段落［００１１］など)
【特許文献２】特開２００９−２２９５１４号公報(段落［００１６］，［００４３］など)
【発明の概要】
【発明が解決しようとする課題】
【０００６】
しかしながら、上述した特許文献１のドラムヘッドは、アコースティックドラムに用いられるフィルム製のヘッドと比べて、打撃した際に伸長しやすいので、打撃した際の手ごたえが弱く感じられる。
【０００７】
また、上述した特許文献２のドラムヘッドは、打撃された後にスティック等をドラムヘッドの弾性力で跳ね返すものであるため、ヘッドに付与された張力でスティック等を跳ね返すアコースティックドラムとは、ヘッドを打撃した際の打撃感が異なる。
【０００８】
このように、打撃音の低減を目的とした従来のドラムヘッドは、アコースティックドラムのヘッドと打撃した際の打撃感が異なるという問題点があった。
【０００９】
本発明は、上述した問題点を解決するためになされたものであり、打撃音を低減させつつ、アコースティックドラムのヘッドを打撃した際の感触に近似した打撃感を得ることができるドラムヘッドを提供することを目的としている。
【課題を解決するための手段および発明の効果】
【００１０】
請求項１記載のドラムヘッドによれば、一対の外層ヘッドの間に中層ヘッドが介設されているので、一対の外層ヘッド及び中層ヘッドにより形成される打面の密度を高めることで、打面の単位面積当たりの重量を増加させることができる。これにより、外層ヘッドを通気性を有する素材から構成しつつ、打面をアコースティックドラムに用いられるフィルム製のヘッドに近似させることができる。
【００１１】
また、中層ヘッドが、枠部の内周面よりも内側に位置し、枠部の軸方向視における中層ヘッドの外形形状が外層ヘッドを展張するシェルの内周円よりも小さく形成されているので、一対の外層ヘッドに対して張力を付与する際に、中層ヘッドに対して張力が付与されることを防止できる。よって、一対の外層ヘッド及び中層ヘッドの双方に張力が付与される場合と比べて、打撃された際における一対の外層ヘッド及び中層ヘッドの反発を抑制できるので、平坦部を打撃した際の手ごたえを強く感じることができる。
【００１２】
このように、一対の外層ヘッドの間に中層ヘッドを介設し、中層ヘッドに張力を付与しない状態でドラムヘッドをシェルに展張させることで、平坦部を打撃した際の打撃音を低減させつつ、アコースティックドラムのヘッドを打撃した際の感触に近似した打撃感を得ることができるという効果がある。
【００１３】
請求項２記載のドラムヘッドによれば、請求項１記載のドラムヘッドの奏する効果に加え、中層ヘッドが、一対の外層ヘッドの平坦部と筒状部との連結部分よりも内側に配置されているので、一対の外層ヘッドに対して張力を付与する際に、中層ヘッドに対して張力が付与されることを防止できる。よって、一対の外層ヘッド及び中層ヘッドの双方に張力が付与される場合と比べて、打撃された際における一対の外層ヘッド及び中層ヘッドの反発を抑制できるので、平坦部を打撃した際の手ごたえを強く感じることができるという効果がある。
【００１４】
請求項３記載のドラムヘッドによれば、請求項１又は２に記載のドラムヘッドの奏する効果に加え、中層ヘッドが通気性を有する素材で構成されているので、平坦部が打撃された際に外層ヘッド及び中層ヘッドを通過する空気の流路を確保できる。よって、ヘッドを打撃した際の打撃音をより低減させることができるという効果がある。
【００１５】
請求項４記載のドラムヘッドによれば、請求項１から３のいずれかに記載のドラムヘッドの奏する効果に加え、中層ヘッドが、枠部の軸方向視において、枠部と同心の仮想円であって外径を枠部の内径の１／２とする仮想円に囲まれる領域全体に少なくとも配置されているので、演奏者が平坦部を打撃する際に、中層ヘッドが配設されている部分を打撃しやすくすることができるという効果がある。
【００１６】
請求項５記載のドラムヘッドによれば、請求項１から４のいずれかに記載のドラムヘッドの奏する効果に加え、中層ヘッドが一対の外層ヘッドの少なくとも一方に対して接合されているので、枠部における径方向においては、中層ヘッドの一対の外層ヘッドに対する相対変位を規制することができる。よって、シェルの内周面よりも内側に中層ヘッドが配置されていることを確認しつつ外層ヘッドをシェルに展張させる、といった作業を不要とすることができるので、ドラムヘッドをシェルに展張させる作業を円滑に行うことができるという効果がある。
【００１７】
なお、中層ヘッドが一対の外層ヘッドに対して接合される部分は、外層ヘッドの通気性が低減する。これに対し、中層ヘッドが一対の外層ヘッドに対して接合される部分の中層ヘッド全体に対する割合を１０％以下に設定することで、外層ヘッドの通気性を確保できるので、ドラムヘッドを打撃した際の打撃音を低減させることができるという効果がある。
【００１８】
請求項６記載のドラムヘッドによれば、請求項１から４のいずれかに記載のドラムヘッドの奏する効果に加え、枠部の軸方向視において、中層ヘッドの外縁よりも外側であって外層ヘッドを展張するシェルの内周面よりも内側に位置する部分において、一対の外層ヘッドが互いに接合されているので、枠部における径方向においては、中層ヘッドの一対の外層ヘッドに対する相対変位を規制することができる。よって、シェルの内周面よりも内側に中層ヘッドが配置されていることを確認しつつ外層ヘッドをシェルに展張させる、といった作業を不要とすることができるので、ドラムヘッドをシェルに展張させる作業を円滑に行うことができるという効果がある。
【００１９】
請求項７記載のドラムヘッドによれば、請求項１から６のいずれかに記載のドラムヘッドの奏する効果に加え、一対の外層ヘッド及び中層ヘッドが同一の素材から構成されているので、打撃された際の一対の外層ヘッドの伸長による変形に合わせて中層へッドを変形させることができる。よって、平坦部を打撃した際に、外層へッドが中層へッドに衝突することによる衝突音の発生を抑制できるので、打撃音をより一層低減させることができるという効果がある。
【図面の簡単な説明】
【００２０】
【図１】（ａ）は，本発明の第１実施の形態におけるドラムヘッドが展張されたドラムの断面図であり、（ｂ）は、図１（ａ）のＩｂ部分におけるドラムの部分拡大断面図である。
【図２】シェルの斜視図およびドラムヘッドの分解斜視図である。
【図３】（ａ）は、第２実施の形態におけるドラムヘッドの上面図であり、（ｂ）は、第３実施の形態におけるドラムヘッドの上面図であり、（ｃ）は、第４実施の形態におけるドラムヘッドの上面図であり、（ｄ）は、第５実施の形態におけるドラムヘッドの上面図である。
【発明を実施するための形態】
【００２１】
以下、本発明の好ましい実施の形態について添付図面を参照して説明する。図１（ａ）は、本発明の第１実施の形態におけるドラムヘッド３が展張されたドラム１の断面図であり、図１（ｂ）は、図１（ａ）のＩｂにおけるドラム１の部分拡大断面図である。なお、図１（ａ）では、枠部３１の軸を挟んで対向する一対のテンションボルト５を通る直線に沿った断面を図示している。
【００２２】
図１（ａ）及び図１（ｂ）に示すように、ドラム１は、アコースティックドラムを模した練習用ドラムであり、ドラム１の胴体をなすシェル２と、そのシェル２に展張されるドラムヘッド３と、そのドラムヘッド３に係止されるフープ４と、そのフープ４に係止されるテンションボルト５と、そのテンションボルト５が螺合されると共にシェル２の外周面に固着されるラグ６とを備えている。
【００２３】
シェル２は、軸方向両側が開口する円筒状の部材であり、軸方向一側（図１（ａ）上側）にドラムヘッド３が展張される。
【００２４】
ドラムヘッド３は、演奏者が打撃する打面を形成する部材であり、シェル２の軸方向一側の端部２ａに当接された状態で展張されている。
【００２５】
ここで、図２を参照して、ドラムヘッド３の詳細な構成について説明する。図２は、シェル２の斜視図およびドラムヘッド３の分解斜視図である。なお、図２では、シェル２の外周面に固着されるラグ６の図示を省略している。
【００２６】
ドラムヘッド３は、円環状の枠部３１と、その枠部３１に外縁が固定される一対の外層ヘッド３２と、それら一対の外層ヘッド３２の間に介設される中層ヘッド３３とを備えている。
【００２７】
枠部３１は、フープ４に係止される部位であり、所定の剛性を有する金属材料で構成されている。なお、枠部３１は、必ずしも金属材料から構成される必要はなく、所定の剛性を有する樹脂材料等から構成されていてもよい。また、枠部３１は、その内径Ｄ１がシェル２の外径Ｄ２よりも大きく設定されている。
【００２８】
一対の外層ヘッド３２は、シェル２の軸方向一側に展張されることで演奏者が打撃する打面を形成する部材であり、通気性を有する平織りの網状素材から構成されている。一対の外層ヘッド３２が網状素材から構成されることで、打撃された際の打撃音を低減させることができる。なお、一対の外層ヘッド３２はそれぞれ同一の素材から構成されている。
【００２９】
また、本実施の形態では、外層ヘッド３２が平織りの網状素材から構成されているが、外層ヘッド３２を綾織りの網状素材から構成してもよい。外層ヘッド３２を平織りの網状素材から構成することで、外層ヘッド３２が綾織りの網状素材から構成される場合と比べて、外層ヘッド３２の通気性を高めることができる。
【００３０】
一方、外層ヘッド３２を綾織りの網状素材から構成することで、外層ヘッド３２が平織の網状素材から構成される場合と比べて、外層ヘッド３２の密度を高めて単位面積当たりの重量を増加させることができるので、打面をアコースティックドラムに用いられるフィルム製のヘッドに近似させることができる。
【００３１】
一対の外層ヘッド３２は、打面を形成する平坦部３２ａと、その平坦部３２ａの外縁に一端が連設されると共に他端が枠部３１に固定される筒状の筒状部３２ｂとを備えている。
【００３２】
平坦部３２ａは、上面視（シェル２の軸方向視）において略円形に形成された平坦面状の部位であり、平坦部３２ａの外径Ｄ３は、ドラムヘッド３に張力が付与されていない状態において、シェル２の軸方向一側の端部２ａの内径Ｄ４と同等の寸法に設定されている。これにより、ドラムヘッド３をシェル２の軸方向一側に載置した状態では、平坦部３２ａと筒状部３２ｂとの連設部分がシェル２の軸方向一側の端部２ａに当接する。また、筒状部３２ｂは、一端側の内径が他端側の内径よりも小さく設定されたテーパ状に形成されている。
【００３３】
なお、平坦部３２ａは、少なくとも、ドラムヘッド３に張力が付与された状態において、平坦部３２ａと筒状部３２ｂとの連設部分がシェル２の軸方向一側の端部２ａに当接するように構成されていればよい。また、一対の外層ヘッド３２を平坦部３２ａのみから構成し、筒状部３２ｂを省略してもよい。この場合、枠部３１は、平坦部３２ａの外縁に固定される。
【００３４】
中層ヘッド３３は、演奏者が平坦部３２ａを打撃した際の感触を良くするための部材であり、通気性を有する網状素材から構成され、一対の外層ヘッド３２と同一の素材から構成されている。
【００３５】
また、中層ヘッド３３は、上面視（シェル２の軸方向視）において略円形に形成されており、中層ヘッド３３の外径Ｄ５が外層ヘッド３２の平坦部３２ａの外径Ｄ３及びシェル２の内径Ｄ４よりも小さく設定されている。
【００３６】
ドラムヘッド３は、中層ヘッド３３を一対の外層ヘッド３２に対して接合せず、単に、中層ヘッド３３を一対の外層ヘッド３２の間に挟んだだけの状態で、一対の外層ヘッド３２の外縁を枠部３１に固定することにより形成されている。
【００３７】
これにより、中層ヘッド３３の一対の外層ヘッド３２に対する相対変位が規制されることを回避できる。また、中層ヘッド３３を一対の外層ヘッド３２に対して接合する作業を省略できるので、ドラムヘッド３の製造工数を抑制することができる。
【００３８】
図１に戻って説明する。フープ４は、ドラムヘッド３の枠部３１を押圧することで一対の外層ヘッド３２に張力を付与する円環状の部材であり、フープ４の内径がシェル２の外径Ｄ２よりも大きく設定されている。また、フープ４には、周方向等間隔に貫設された貫通孔４ａが形成され、テンションボルト５は、貫通孔４ａに挿通された状態でフープ４の上面側（図１（ｂ）上側）に係止されている。
【００３９】
テンションボルト５には、おねじが形成され、ラグ６にはテンションボルト５のおねじが螺合可能なめねじが形成されている。テンションボルト５をフープ４に係止させた状態でラグ６に螺入させることで、フープ４及びドラムヘッド３の枠部３１がシェル２の軸方向他側（図１（ａ）下側）へ押圧される。これにより、ドラムヘッド３の一対の外層ヘッド３２が径方向外側へ引っ張られ、ドラムヘッド３は一対の外層ヘッド３２に張力が付与された状態でシェル２の軸方向一端側に展張される。
【００４０】
ここで、中層ヘッド３３の外径Ｄ５は外層ヘッド３２の平坦部３２ａの外径Ｄ３及びシェルの軸方向一端側の端部２ａの内径Ｄ４よりも小さく設定されている（図２参照）ので、中層ヘッド３３を一対の外層ヘッド３２の平坦部３２ａと筒状部３２ｂとの連設部分およびシェル２の軸方向一側の端部２ａよりも内側に配設することができる。よって、ドラムヘッド３をシェル２に展張させる際に、中層ヘッド３３がシェル２に展張されることを回避できる。これにより、一対の外層ヘッド３２に対して張力を付与する際に、中層ヘッド３３に対して張力が付与されることを防止できる。
【００４１】
従って、一対の外層ヘッド３２及び中層ヘッド３３の双方に張力が付与される場合と比べて、打撃された際における一対の外層ヘッド３２及び中層ヘッド３３の反発を抑制できる。
【００４２】
これにより、平坦部３２ａがスティック等で打撃されて平坦部３２ａが打撃方向（図１（ａ）下方向）へ押圧された後、平坦部３２ａが打撃方向とは反対方向（図１（ａ）上方向）へ跳ね返る際の跳ね返り量を小さくすることができると共に、その平坦部３２ａの跳ね返り速度を遅くすることができる。
【００４３】
従って、一対の外層ヘッド３２及び中層ヘッド３３の双方に張力が付与される場合と比べて、平坦部３２ａを打撃した際の手ごたえを強く感じることができる。
【００４４】
ここで、アコースティックドラムにはフィルム製のヘッドが多く用いられている。これに対し、一対の外層ヘッド３２は網状素材で構成されているので、フィルム製のヘッドよりも通気性が高い。従って、一対の外層ヘッド３２及び中層ヘッド３３を通過する空気の流路を確保できるので、打撃された際の打撃音を低減させることができる。
【００４５】
しかしながら、網状素材で構成される一対の外層ヘッド３２は、フィルム製のヘッドと比べて、打面の密度が小さく、単位面積あたりの重量が軽い。また、一対の外層ヘッド３２は、フィルム製のヘッドと比べて、伸縮性が高い。
【００４６】
そのため、一対の外層ヘッド３２のみから構成されるヘッドを打撃した場合では、フィルム製のヘッドを打撃した場合と比べて、平坦部３２ａの跳ね返り量が大きくなると共に平坦部３２ａの跳ね返り速度が速くなるので、ヘッドを打撃した際の手ごたえが弱く感じられる。
【００４７】
これに対し、一対の外層ヘッド３２の間に中層ヘッド３３を介設することで、打面の密度を高めて単位面積当たりの重量を増加させることができる。これにより、外層ヘッド３３を通気性を有する素材から構成しつつ、打面をアコースティックドラムに用いられるフィルムに近似させることができる。
【００４８】
また、一対の外層ヘッド３２及び中層ヘッド３３の双方に張力が付与された場合では、中層ヘッド３３が一対の外層ヘッド３２と同様に伸長し、打撃された後に一対の外層ヘッド３２及び中層ヘッド３３の双方が打撃方向とは反対方向へ跳ね返る。そのため、フィルム製のヘッドを打撃した場合と比べて、平坦部３２ａを打撃した際の手ごたえが弱く感じられる。
【００４９】
これに対し、ドラムヘッド３は、一対の外層ヘッド３２の間に、張力が付与されていない中層ヘッド３３を介設することで、平坦部３２ａを打撃した際の手ごたえを強く感じることができる。よって、打撃音を低減させつつ、アコースティックドラムのヘッドを打撃した際の感触に近似した打撃感を得ることができる。
【００５０】
なお、中層ヘッド３３は、枠部３１の軸方向視（図１上下方向）において、枠部３１と同心の仮想円であって外径を枠部３１の内径の少なくとも１／４以上、望ましくは１／２以上、さらに望ましくは３／４以上とする仮想円に囲まれる領域全体に配置されていればよい。
【００５１】
これにより、中層ヘッド３３を演奏者によって打撃しやすいドラムヘッド３の中心部分に配設できる。また、上記仮想円の半径を大きく設定することで、打面全体に対して中層ヘッド３３が介設される部分の面積を大きく確保できる。その結果、中層ヘッド３３が介設されている部分を打撃しやすくすることができる。
【００５２】
また、ドラムヘッド３は、一対の外層ヘッド３２と中層ヘッド３３とが同一の素材から構成されているので、打撃された際の一対の外層ヘッド３２の伸長による変形に合わせて中層ヘッド３３を変形させることができる。よって、平坦部３２ａを打撃した際に、外層ヘッド３２が中層ヘッド３３に衝突することによる衝突音の発生を抑制できるので、中層ヘッド３３が外層ヘッド３２と異なる素材から構成されている場合と比べて、打撃音をより一層低減させることができる。
【００５３】
さらに、中層ヘッド３３は一対の外層ヘッド３２に対して接合されていないので、打撃された際の一対の外層ヘッド３２の振動と中層ヘッド３３の振動とが互いに打ち消されることで、外層ヘッド３２及び中層ヘッド３３の振動を早期に収束させることができると共に、外層ヘッド３２及び中層ヘッド３３の振動により発生する高調波成分を低減させることができる。
【００５４】
次に、図３（ａ）及び図３（ｂ）を参照して、第２実施および第３実施の形態について説明する。第１実施の形態では、中層ヘッド３３の一対の外層ヘッド３２に対する相対変位が規制されていない場合について説明したが、第２実施および第３実施の形態では、中層ヘッド３３の一対の外層ヘッド３２に対する径方向への相対変位を規制する。なお、第１実施の形態と同一の部分については同一の符号を付して、その説明を省略する。
【００５５】
図３（ａ）は、第２実施の形態におけるドラムヘッド２０３の上面図であり、図３（ｂ）は、第３実施の形態におけるドラムヘッド３０３の上面図である。なお、図３（ａ）及び図３（ｂ）では、中層ヘッド３３を破線で図示している。
【００５６】
図３（ａ）及び図３（ｂ）に示すように、ドラムヘッド２０３，３０３は、一対の外層ヘッド３２を互いに接合する接合部２３４，３３４を備えている。接合部２３４，３３４は、枠部３１の径方向において、中層ヘッド３３の一対の外層ヘッド３２に対する相対変位を規制する部位である。なお、図３（ａ）及び図３（ｂ）では、接合部２３４，３３４を模式的に図示している。また、一対の外層ヘッド３２を互いに接合する接合方法としては、縫合、接着剤等による接着、溶着などが例示される。
【００５７】
接合部２３４，３３４は、枠部３１の軸方向視（図３（ａ）及び図３（ｂ）における紙面垂直方向）において、中層ヘッド３３の外縁よりも外側であって平坦部３２ａと筒状部３２ｂとの連設部分よりも内側に設けられている。なお、第２実施の形態におけるドラムヘッド２０３では、中層ヘッド３３の外縁に沿って円形状に形成され、第３実施の形態におけるドラムヘッド３０３では、周方向等間隔に位置する３箇所に設けられている。
【００５８】
これにより、ドラムヘッド２０３，３０３では、枠部３１の軸方向視において、中層ヘッド３３の一対の外層ヘッド３２に対する径方向の相対変位を規制することができる。よって、一対の外層ヘッド３２の平坦部３２ａと筒状部３２ｂとの連設部分、即ち、シェル２（図１（ａ）参照）の内周面よりも内側に中層ヘッド３３が配置されていることを確認しつつ外層ヘッド３２をシェル２に展張させる、といった作業を不要とすることができるので、ドラムヘッド２０３，３０３をシェル２に展張させる作業を円滑に行うことができる。
【００５９】
第２実施の形態におけるドラムヘッド２０３では、接合部２３４が中層ヘッド３３の外縁に沿って円形状に形成されることで、枠部３１における径方向において、中層ヘッド３３の一対の外層ヘッド３２に対する相対変位を確実に防止できる。
【００６０】
また、第３実施の形態におけるドラムヘッド３０３では、接合部３３４が周方向等間隔に３箇所設けられることで、枠部３１における径方向において、中層ヘッド３３の一対の外層ヘッド３２に対する相対変位を防止しつつ、一対の外層ヘッド３２を互いに接合する作業を簡素化できる。
【００６１】
なお、ドラムヘッド３０３では、一対の外層ヘッド３２が周方向等間隔に位置する３箇所で接合されているが、一対の外層ヘッド３２を４箇所以上で接合してもよい。一対の外層ヘッド３２の接合箇所を少なくすることで、一対の外層ヘッド３２を互いに接合させる作業を簡素化してドラムヘッド３０３の製造工数を抑制できる。一方、一対の外層ヘッド３２の接合箇所を多くすることで、枠部３１における径方向においては、中層ヘッド３３の一対の外層ヘッド３２に対する相対変位を確実に防止できる。
【００６２】
次に、図３（ｃ）及び図３（ｄ）を参照して、第４実施および第５実施の形態について説明する。第１実施の形態では、中層ヘッド３３が一対の外層ヘッド３２に対して接合されていない場合について説明したが、第４実施および第５実施の形態では、中層ヘッド３３が一対の外層ヘッド３２の少なくとも一方に対して部分的に接合される。なお、上記した各形態と同一の部分については同一の符号を付して、その説明を省略する。図３（ｃ）は、第４実施の形態におけるドラムヘッド４０３の上面図であり、図３（ｄ）は、第５実施の形態におけるドラムヘッド５０３の上面図である。
【００６３】
図３（ｃ）及び図３（ｄ）に示すように、ドラムヘッド４０３，５０３は、一対の外層ヘッド３２のうちの一方と中層ヘッド３３とを互いに接合する接合部４３４，５３４を備えている。接合部４３４，５３４は、枠部３１の径方向において、中層ヘッド３３の一対の外層ヘッド３２に対する相対変位を規制する部位である。なお、図３（ｃ）及び図３（ｄ）では、接合部４３４，５３４を模式的に図示している。
【００６４】
本実施の形態では、中層ヘッド３３は、一対の外層ヘッド３２のうち中層ヘッド３３の上側（図３（ｃ）及び図３（ｄ）紙面手前側）に位置する外層ヘッド３２に接合されている。なお、中層ヘッド３３を一対の外層ヘッド３２のうち中層ヘッド３３の下側（図３（ｃ）及び図３（ｄ）における紙面奥側）に位置する外層ヘッド３２に接合してもよく、中層ヘッド３３を一対の外層ヘッド３２の双方に接合してもよい。
【００６５】
ドラムヘッド４０３では、接合部４３４が枠部３１の中心部分に１箇所設けられており、ドラムヘッド５０３では、接合部５３４が中層ヘッド３３の外縁部分であって枠部３１の中心部分を挟んで位置する２箇所に形成されている。
【００６６】
ここで、中層ヘッド３３が一対の外層ヘッド３２に対して接合される部分は、外層ヘッド３２及び中層ヘッド３３の通気性が低減する。そのため、仮に、中層ヘッド３３全体を外層ヘッド３２に接合すると、外層ヘッド３２及び中層ヘッド３３を通過する空気の流路が十分に確保されないため、打面が打撃された際の打撃音が大きくなる。
【００６７】
これに対し、接合部４３４，５３４を部分的に設け、中層ヘッド３３を外層ヘッド３２に対して部分的に接合することで、外層ヘッド３２及び中層ヘッド３３の通気性を確保できるので、打面が打撃された際の打撃音を低減させることができる。
【００６８】
具体的には、中層ヘッド３３全体に対して接合部４３４，５３４が占める割合が少なくとも２０％以下、望ましくは１０％以下、さらに望ましくは５％以下に設定されていればよい。これにより、打撃音を低減させつつ、中層ヘッド３３の一対の外層ヘッド３２に対する相対変位を防止することでドラムヘッド４０３，５０３をシェル２に展張させる作業を円滑に行うことができる。
【００６９】
以上、実施の形態に基づき本発明を説明したが、本発明は上記各実施の形態に何ら限定されるものではなく、本発明の趣旨を逸脱しない範囲内で種々の改良変形が可能であることは容易に推察できるものである。
【００７０】
例えば、上記各実施の形態では、一対の外層ヘッド３２の間に１枚の中層ヘッド３３が配設される場合について説明したが、必ずしもこれに限られるものではなく、一対の外層ヘッド３２の間に複数枚の中層ヘッド３３が配設されていてもよい。中層ヘッド３３の枚数を適宜調整することで、ドラムヘッド３，２０３，３０３，４０３，５０３を打撃した際に、アコースティックドラムのヘッドを打撃した感触と近似した打撃感を得ることができる。
【００７１】
上記各実施の形態では、一対の外層ヘッド３２と中層ヘッド３３とが同一の素材から構成される場合について説明したが、必ずしもこれに限られるものではなく、中層ヘッド３３が一対の外層ヘッド３２と異なる素材から構成されていてもよく、一対の外層ヘッド３２が互いに異なる素材から構成されてもよい。
【００７２】
この場合、少なくとも一対の外層ヘッド３２が通気性を有する素材から構成されていればよく、中層ヘッド３３は、網状素材や布状素材等の通気性を有する素材から構成されることが望ましい。これにより、打撃した際の打撃音を低減させることができる。
【００７３】
上記各実施の形態では、中層ヘッド３３が略円形に形成される場合について説明したが、必ずしもこれに限られるものではなく、中層ヘッド３３が他の形状、例えば、多角形状や円環形状に形成されてもよい。
【００７４】
上記各実施の形態では、ドラムヘッド３，２０３，３０３，４０３，５０３が練習用ドラムのヘッドとして使用される場合について説明したが、必ずしもこれに限られるものではなく、電子ドラムのヘッドとして使用してもよい。
【符号の説明】
【００７５】
２                                          シェル
３，２０３，３０３，４０３，５０３          ドラムヘッド
３１                                        枠部
３２                                        外層ヘッド
３２ａ                                      平坦部
３２ｂ                                      筒状部
３３                                        中層ヘッド
Ｄ１                                        枠部の内径
【図１】
2014048651.tif 000003
【図２】
2014048651.tif 000004
【図３】
2014048651.tif 000005